(57)【特許請求の範囲】
【請求項１】
複数の入力チャンネルを有しその入力波形を、設定変更により波形表示色の変更を行い、色分けして表示する測定器に用いるプローブにおいて、
前記測定器で設定された波形表示色と同じ色に発光するプローブ用インジケータを備えたことを特徴とする入力識別機能付きプローブ。
【請求項２】
複数の入力チャンネルを有しその入力波形を色分けして表示する測定器に用いるプローブにおいて、
波形表示色と同じ色に発光するプローブ用インジケータを備え、
前記プローブ用インジケータは、測定器本体に備えられた波形表示色と同じ色に発光するインジケータの光を、プローブに内蔵した光ファイバーで伝送し発光することを特徴とする入力識別機能付きプローブ。
【請求項３】
複数の入力チャンネルを有しその入力波形を色分けして表示する測定器に用いるプローブにおいて、
波形表示色と同じ色に発光するプローブ用インジケータを備え、
前記プローブは、前記測定器本体に備えられた波形表示色と同じ色に発光するインジケータのコネクタとプローブに内蔵した光ファイバーとを接続するための、光コネクタを備えたことを特徴とする入力識別機能付きプローブ。
【発明の詳細な説明】
【０００１】
【発明の属する技術分野】
本発明は、オシロスコープ等のように複数の波形表示を行う装置に用いられるプローブの改良に関し、更に詳しくは複数の入力チャンネルを有し、その複数の入力波形をカラー表示する測定器において、色分けされて表示された複数の入力波形がどのプローブから入力されたものかを容易に識別可能なプローブに関するものである。
【０００２】
【従来の技術】
従来よりプローブとしては、図４に示すような構成のものがある。プローブグリップ部２５には、測定対象から信号を受けるための探針２１と測定対象のグランドと接続するためのグランドリード２２が設けられている。また、プローブグリップ部２５にはプローブケーブル２４を介して測定器本体の入力コネクタ（図示せず）と接続するための測定器接続用コネクタ２６が接続されている。このような構成において測定器接続用コネクタ２６を測定器本体の入力コネクタに接続しグランドリード２２を測定対象のグランドに接続し探針２１を測定対象に接することにより目的の波形を測定することができる。
【０００３】
また、複数の入力チャンネルを有し、その入力波形をカラー表示する測定器に複数のプローブを接続して測定を行う場合、どの表示波形がどのプローブから入力されたものかを識別するため、プローブケーブル２４に波形表示色と同色のカラーマーカーチップ２３が取り付けられている。
【０００４】
【発明が解決しようとする課題】
しかしながら、カラー表示器を備えた多チャンネル入力の測定器は、測定器の設定変更により表示波形色を簡単に変更可能であるが、それを行うかまたはプローブを交換するたびに、プローブの識別のためカラーマーカーチップを取り替えなければならないという課題があった。
【０００５】
本発明は、上記課題を解決するもので、プローブの交換または、波形表示色の設定変更のたびに、カラーマーカーチップの取り替えを行うことなく表示されている波形がどのプローブから入力されたものであるかの識別が可能なプローブを提供することを目的とする。
【０００６】
【課題を解決するための手段】
このような目的を達成するために請求項１に記載の発明では、複数の入力チャンネルを有し、その入力波形を、設定変更により波形表示色の変更を行い、色分けして表示する測定器に用いるプローブカラー表示する測定器を用いて測定を行う場合、色分けして表示された複数の入力波形がどのプローブから入力されたものかを識別するため、プローブ本体に測定器で設定された波形表示色と同じ色に発光するプローブ用インジケータを備えたことを特徴とするものである。
【０００７】
請求項１に記載の発明では、プローブ本体に、波形表示色と同じ色に発光するプローブ用インジケータを備えたため、カラーマーカーチップの取り替えを行うことなく表示されている波形がどのプローブから入力されたものであるかの識別が可能である。
【０００８】
【発明の実施の形態】
以下図面を用いて本発明を詳しく説明する。図１は本発明に係る入力識別機能付きプローブの一実施例を示す構成図である。図２は測定器本体の構成図であり、図３は測定器のインジケータに設けられたコネクタとプローブに設けられた光コネクタの構成図である。
【０００９】
図１のプローブにおいて従来例である図４と異なるところはプローブのインジケータ７と光コネクタ８を附加した点である。
【００１０】
図２において、複数の入力チャンネルを有し、その入力波形をカラー表示する測定器本体１は、プローブより電気信号を入力するための入力コネクタ２と波形表示器２０に表示される波形の色と同じ色で発光する測定器のインジケータ３を備えている。
【００１１】
波形表示器２０に表示される各波形の色は、測定器本体の設定により自由に変更可能である。測定器のインジケータ３は、測定者がこの設定を行った時点で波形表示色と同じ色に点灯する。
【００１２】
図３において、光コネクタ８は光ファイバー１４とその先端の接続部１３にコネクタ（オス）１２を取り付けたもので、測定器のインジケータ３のパネル面１１に備えられたコネクタ（メス）１０に接続される。このような構成により測定器のインジケータ３の光源として用いられる発光ダイオード９の光が光コネクタ８と光ファイバー１４を介して図１に示すプローブのインジケータ７に表示される。
【００１３】
次に、図２に示す入力コネクタ２に、図１に示す測定器接続用コネクタ２６を接続した後、グランドリード２２を測定対象のグランドに接続し、探針２１を測定対象に当接する。探針２１を介して導かれた測定対象の波形信号はケーブル２４および測定器接続用コネクタ２６を介して測定器本体側へ入力される。
図２に示す測定器本体１ではこの測定信号を適宜処理して波形表示器２０に、波形を既に設定された色で表示する。このような構成により波形表示器２０に表示される波形の色と図１に示すプローブのインジケータ７に発光する色とが一致し、表示された波形がどのプローブから入力された信号であるかを識別することが可能となる。
【００１４】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００１５】
【発明の効果】
以上説明したように本発明によれば次のような効果がある。
請求項１に記載の発明では、カラー表示器を備えた多チャンネル入力の測定器を用いて測定を行う場合、プローブの交換または、波形表示色の設定変更のたびに、カラーマーカーチップの取り替えを行うことなく表示されている波形がどのプローブから入力されたものであるかの識別が可能となり、効率的な作業を実現できる。
【００１６】
請求項２と請求項３に記載の発明では、プローブのインジケータに光ファイバーを用いて測定器のインジケータの光を伝送して発光するため、プローブ本体に発光用の電気回路を設ける必要がなく、シンプルで故障のない装置を実現することが可能である。
【図面の簡単な説明】
【図１】本発明に係る入力識別機能付きプローブの一実施例を示す構成図である。
【図２】本発明に係る入力識別機能付きプローブを接続する測定器の構成図である。
【図３】測定器のインジケータに設けられたコネクタとプローブに設けられた光コネクタの構成図である。
【図４】従来のプローブの一例を示す構成図である。
１  測定器本体
２  入力コネクタ
３  測定器のインジケータ
７  プローブのインジケータ
８  光コネクタ
９  発光ダイオード
１０  コネクタ（メス）
１１  パネル面
１２  コネクタ（オス）
１３  接続部
１４  光ファイバー
２０  波形表示器
２１  探針
２２  グランドリード
２３  カラーマーカーチップ
２４  プローブケーブル
２５  プローブグリップ部
２６  測定器接続用コネクタ
【図１】
0003541381.tif 000002
【図２】
0003541381.tif 000003
【図３】
0003541381.tif 000004
【図４】
0003541381.tif 000005